(57)【要約】【課題】容易に製造することが出来て安価な制振金物を提供する。【解決手段】住宅の構造材に固定する一対の固定部材と、前記一対の固定部材によって挟持するプレート材と、前記固定部材と前記プレート材とによって挟持する摩擦材と、からなり、前記プレート材は長孔を有し、前記固定部材に設けたボルト孔および前記長孔に挿通するボルトおよび該ボルトに螺合するナットによって前記一対の固定部材、前記プレート材、および前記摩擦材を一体とし、前記摩擦材は、前記固定部材および前記プレート材のいずれとも接着されていないことを特徴とする、制振金物。【選択図】図１
2019015111.tif 000002
【特許請求の範囲】
【請求項１】
住宅の構造材に固定する一対の固定部材と、
前記一対の固定部材によって挟持するプレート材と、
前記固定部材と前記プレート材とによって挟持する摩擦材と、からなり、
前記プレート材は長孔を有し、
前記固定部材に設けたボルト孔および前記長孔に挿通するボルトおよび該ボルトに螺合するナットによって前記一対の固定部材、前記プレート材、および前記摩擦材を一体とし、
前記摩擦材は、前記固定部材および前記プレート材のいずれとも接着されていないことを特徴とする、制振金物。
【請求項２】
請求項１に記載の制振金物において、
前記固定部材と前記摩擦材との間に配置するすべりプレートを有することを特徴とする、制振金物。
【発明の詳細な説明】
【技術分野】
【０００１】
本発明は、住宅において、柱材と横架材とで形成される枠体内に取り付ける制振金物に関するものである。
【背景技術】
【０００２】
住宅の制振部材として、柱材や土台、梁などの横架材からなる枠体内に配置するものが知られている。
特に近年は、粘弾性ダンパーを用いるものが多くみられるようになっている。
【先行技術文献】
【特許文献】
【０００３】
【特許文献１】特開２００７−２６２７０７号公報
【発明の概要】
【発明が解決しようとする課題】
【０００４】
しかし、粘弾性ダンパーは機構が複雑であるため、粘弾性ダンパーを使用した制振部材は高価になってしまうという問題があった。
【０００５】
本発明は、容易に製造することが出来て安価な制振金物を提供することを目的とする。
【課題を解決するための手段】
【０００６】
上記目的を達成するためになされた本願の第１発明は、住宅の構造材に固定する一対の固定部材と、前記一対の固定部材によって挟持するプレート材と、前記固定部材と前記プレート材とによって挟持する摩擦材と、からなり、前記プレート材は長孔を有し、前記固定部材に設けたボルト孔および前記長孔に挿通するボルトおよび該ボルトに螺合するナットによって前記一対の固定部材、前記プレート材、および前記摩擦材を一体とし、前記摩擦材は、前記固定部材および前記プレート材のいずれとも接着されていないことを特徴とする、制振金物を提供する。
本願の第２発明は、第１発明の制振金物において、前記固定部材と前記摩擦材との間に配置するすべりプレートを有することを特徴とする、制振金物を提供する。
【発明の効果】
【０００７】
本発明は、上記した課題を解決するための手段により、次のような効果の少なくとも一つを得ることができる。
（１）固定部材によって、長孔を設けたプレート材および摩擦材を挟持するだけの構成であるため、容易に製造することができて、かつ、安価である。
（２）摩擦材を接着する必要がないため、容易に製造することができる。
（３）摩擦材を接着する必要がないため、摩擦材の形状や大きさを自由に変えることができる。
（４）接着剤を使用しないことにより、接着層の硬化による応力集中や剥がれなどによる強度不安がない。
（５）固定部材と摩擦材との間にすべりプレートを配置するため、固定部材が摩擦に関わらないので、固定部材を安価で、固定に適した材質のものにすることができる。
（６）摩擦材と摩擦させるための金属は比較的高価であるが、すべりプレートを薄くすることにより安価に製造できる。
（７）すべりプレートの材質を変えるだけで、容易に摩擦材との組み合わせを変更することができる。
（８）すべりプレートの形状や大きさを自由に変えることで、容易に摩擦効果を変更できる。
【図面の簡単な説明】
【０００８】
【図１】本発明の制振金物を用いた制振構造の説明図
【図２】制振金物の分解斜視図
【図３】制振金物の側面図
【図４】ブレース材および取付部材の説明図
【図５】制振金物の変形の説明図
【図６】その他実施例にかかる制振金物の分解斜視図（１）
【図７】その他実施例にかかる制振金物の側面図
【図８】その他実施例にかかる制振金物の変形の説明図
【図９】その他実施例にかかる制振金物を用いた制振構造の説明図
【図１０】その他実施例にかかる制振金物の分解斜視図（２）
【発明を実施するための形態】
【０００９】
以下、図面を参照しながら本発明の制振金物を詳細に説明する。
【００１０】
［実施例１］
（１）制振構造
本発明の制振金物１は、住宅の枠体に制振機能を付与し、制振構造とする金物である。
本発明を適用する枠体の構造材は、２本の柱材２ａ、２ｂと、柱材２ａ、２ｂの上下に横架する梁３、土台４によって構成される（図１）。
制振金物１は、柱材２ａの中央に取り付ける。
【００１１】
（２）制振金物
制振金物１は、柱材２ａと接合する一対の固定部材１１、一対の固定部材１１によって挟持するプレート材１２、および、固定部材１１とプレート材１２との間に配置する摩擦材１３と、からなる。（図２）
【００１２】
（２−１）固定部材
固定部材１１は断面Ｌ字状の部材である。
固定部材は、摩擦材１３との摩擦抵抗により制振を行うため、ステンレスや亜鉛メッキ鋼板、ニッケルメッキ鋼板、アルミニウム等の、摩擦係数の低い材質からなる。
固定部材１１は、Ｌ字の一辺を成す一平面の外側を柱材２ａに当接して、ビス等によって固定する（図３）。
そして、一対の固定部材１１のそれぞれの他平面の外側において、プレート材１２、および摩擦材１３を挟持する。
固定部材１１の他平面にはボルト孔１１１を複数個設ける。
【００１３】
（２−２）プレート材
プレート材１２は鋼板からなる。
プレート材１２は、挟持部１２１とブレース材取付部１２２と、からなる。
プレート材１２は、挟持部１２１を固定部材１１で挟持した際にブレース材取付部１２２が固定部材１１から突出する。
挟持部１２１には、固定部材１１のボルト孔１１１に対応して長孔１２３を設ける。長孔１２３は、制振金物１を取り付けたときに構造材である柱材２ａと平行になるように縦方向に長い形状とする。
そして、固定部材１１とプレート材１２との間に摩擦材１３を配置し、固定部材１１のボルト孔１１１とプレート材１２の長孔１２３を重ね合わせた状態で、一組の固定部材１１およびプレート材１２を貫通するように、ボルト１４１を挿通してナット１４２を螺合して固定部材１１、プレート材１２および摩擦材１３を一体とする。ナット１４２の締めつけにより、プレート材１２には両側の固定部材１１による挟持力が作用する。制振金物１は、固定部材１１によってプレート材１２および摩擦材１３を挟持するだけの構成であるため、容易に製造することができて、かつ、安価である。
プレート材１２の長孔１２３は縦方向に長い形状であり、ボルト１４１は長孔１２３に沿って本数を任意に選択できるため、必要な挟持力に合わせてボルト１４１の本数を選択することができる。
【００１４】
（２−３）摩擦材
摩擦材１３は、フェノール樹脂からなる。
摩擦材１３は、固定部材１１との摩擦抵抗により制振を行う。
摩擦材１３は固定部材１１とプレート材１２との間に配置するが、プレート材１２側の摩擦抵抗が固定部材１１の摩擦抵抗より大きいため、摩擦材１３は固定部材１１とプレート材１２の間に挟み込むだけで、プレート材１２の変位に追従する。
このため、摩擦材１３は接着する必要がなく、本発明の制振金物１は容易に製造することができる。
摩擦材１３は、接着する必要がないため、形状や大きさを自由に変えることができる。
また、接着剤を使用しないことで、接着層の硬化による応力集中や剥がれなどによる強度不安がない。
【００１５】
（３）ブレース材および取付部材
本発明の制振金物１は固定部材１１を柱材２ａに取り付け、柱材２ａから柱材２ｂの上部と下部にそれぞれ傾斜して配置するブレース材５をプレート材１２に連結する。
ブレース材５は角筒状であり、プレート材１２の厚みより大きなスリット５１を設ける（図３）。
ブレース材５のスリット５１にプレート材１２を挿し込み、ボルト等により固定する。
ブレース材５の他方の端部は取付部材６を介して柱材２ｂに取り付ける。
取付部材６は断面Ｌ字状の鋼板を２枚接合したものである（図４）。
取付部材６は、Ｌ字の一辺を成す一平面の外側どうしを重合して溶接等によって一体とし、他平面の外側を柱材２ｂに当接して、ビス等によって固定する。
ブレース材５の他方の端部に設けるスリット５１は、取付部材６の重合部分の厚みより大きくし、スリット５１に取付部材６を差し込み、ボルト等により固定する。
【００１６】
（４）制振機能
地震により住宅に力が作用すると、柱材２ａ、２ｂに傾きが生じる。そして、柱材２ａ、２ｂとブレース材５とが変位すると、固定部材１１とプレート材１２（図５ａ）とが、プレート材１２の長孔１２３方向に沿って相対的に変位する（図５ｂ）。このとき、固定部材１１とプレート材１２との間に位置する摩擦材１３は、摩擦抵抗の大きなプレート材１２に追従する。
ブレース材５はプレート材１２に固定されているため、ブレース材５とプレート材１２は柱材２ａ及び固定部材１１に対して平行に変位する。この変位により固定部材１１からの挟持力が作用したプレート材１２が変位することで、固定部材１１とプレート材１２に追従する摩擦材１３間の摩擦による制振機能が働く。
【００１７】
［その他実施例］
（１）すべりプレートの配置
固定部材１１と摩擦材１３との間にすべりプレート１５を配置してもよい（図６、７）。
すべりプレート１５はステンレスや亜鉛メッキ鋼板、ニッケルメッキ鋼板、アルミニウム等の、摩擦係数の低い材質からなる。
固定部材１１と摩擦材１３との間にすべりプレート１５を配置することにより、摩擦材１３は、プレート材１２とすべりプレート１５により挟持されることとなり、固定部材１１は摩擦に関わらないので、安価で固定に適した材質にものにすることができる。また、すべりプレート１５は固定部材１１より小さく薄くすることにより、安価に製造できる。
すべりプレート１５には、固定部材１１のボルト孔１１１に対応するボルト孔１５１を設ける。
【００１８】
（１−１）すべりプレートによる制振
地震により住宅に力が作用すると、柱材２ａ、２ｂに傾きが生じる。そして、柱材２ａ、２ｂとブレース材５とが変位すると、摩擦係数の小さいすべりプレート１５を挟持した固定部材１１とプレート材１２（図８ａ）とが、プレート材１２の長孔１２３方向に沿って相対的に変位する（図８ｂ）。このとき、プレート材１２とすべりプレート１５の間に位置する摩擦材１３は、摩擦抵抗の大きなプレート材１２に追従し、すべりプレート１５とプレート材１２に追従する摩擦材１３間の摩擦による制振機能が働く。
すべりプレート１５の材質を変えるだけで、容易に摩擦材１３との組み合わせを変更することで、摩擦効果を変更することができる。
また、すべりプレート１５の形状や大きさを自由に変えることで、容易に摩擦効果を変更することができる。
【００１９】
（２）梁への制振金物の取り付け
上記の実施例は、制振金物１は柱材２ａの中央に取り付けたが、柱材２ａと柱材２ｂとの間の梁３の中央に取り付けてもよい。このとき、ブレース材５は梁３からそれぞれの柱材２ａ、２ｂ方向に傾斜して配置する（図９）。
そして、制振金物１のプレート材１２および摩擦材１３は、それぞれのブレース材５に対して一組設ける（図１０）。
このとき、プレート材１２の長孔１２３は、ブレース材５に対して平行となるように形成する。
制振金物１のプレート材１２は、取り付けたブレース材５に合わせて、プレート材１２の長孔１２３方向に相対的に変位し、摩擦材１３の摩擦による制振機能が働く。
【符号の説明】
【００２０】
１      制振金物
１１    固定部材
１１１  ボルト孔
１２    プレート材
１２１  挟持部
１２２  ブレース材取付部
１２３  長孔
１３    摩擦材
１４１    ボルト
１４２    ナット
１５    すべりプレート
１５１  ボルト孔
２      柱材
３      梁
４      土台
５      ブレース材
５１    スリット
６      取付部材
【図１】
2019015111.tif 000003
【図２】
2019015111.tif 000004
【図３】
2019015111.tif 000005
【図４】
2019015111.tif 000006
【図５】
2019015111.tif 000007
【図６】
2019015111.tif 000008
【図７】
2019015111.tif 000009
【図８】
2019015111.tif 000010
【図９】
2019015111.tif 000011
【図１０】
2019015111.tif 000012